(57)【特許請求の範囲】
【請求項１】
ナースコールシステムに使用される円盤形状の無線押しボタン式子機に装着されて、当該無線押しボタン式子機の円盤状の筐体の上面側に設けられた押しボタンの操作を介助する押しボタン用アタッチメントであって、
ハウジングの上面に、上記ハウジングの前方側から後方側に向かって延在するように、少なくとも上記ハウジングの前方側にある操作面が周囲の上記ハウジングよりも上方に突出する状態で設けられ、上記操作面とは反対側である後方側の端部を支点として上下方向に回動可能に成された操作部と、
上記操作部の後方側の上記端部の付近の内面に設けられ、上記操作部が下方に回動された状態である場合に上記押しボタンを押圧する突起部と、
上記ハウジングの内面に設けられたリブにより、上記突起部と対向する位置に上記無線押しボタン式子機を収納するためのスペースを形成し、当該スペース内に収納される上記無線押しボタン式子機の筐体の側面および底面を支持する支持部とを備え、
上記ハウジングは、上記スペース内に収納される上記無線押しボタン式子機の底面は覆わずに側面から上面にかけた部分を覆うように形成され、
上記支持部は、上記ハウジングの内面の左右方向および後方向の合計３方向に上記リブを備えて上記スペースを形成し、上記リブが備えられていない上記ハウジングの前方側から後方側に向かって、３方向の上記リブで囲まれた上記スペース内に上記無線押しボタン式子機をスライドさせて挿入可能に構成されている
ことを特徴とする押しボタン用アタッチメント。
【請求項２】
上記操作部の下方への回動を制限するストッパを更に備えたことを特徴とする請求項１に記載の押しボタン用アタッチメント。
【発明の詳細な説明】
【技術分野】
【０００１】
本発明は、ナースコールシステムに使用される押しボタン式子機用のアタッチメントに関するものである。
【背景技術】
【０００２】
従来、病院や介護施設などでは、ナースコールシステムが用いられている。ナースコールシステムは、ナースコール子機とナースコール親機とを備えて構成され、患者や被介護者（以下、単に患者という）がナースコール子機の呼出ボタンを押下して呼び出しを行うと、呼び出しが行われたことがナースコール親機にて報知されるようになっている。
【０００３】
ところで、ナースコール子機には様々なタイプのものがある。その１つに、図６（ａ）に示すような握り押しボタン式子機１００がある。握り押しボタン式子機１００は、手のひらに納まる胴部１０１と、この胴部１０１の端部に設けられた押しボタン１０２とを有している。したがって、握り押しボタン式子機１００を片手で操作する場合、押しボタン１０２は、親指で操作される。
【０００４】
また、図６（ｂ）に示すような円盤状の無線押しボタン式子機２００も存在する。この無線押しボタン式子機２００は、円盤状の筐体２０１の上面側の中央部に設けられた押しボタン２０２を有している。この無線押しボタン式子機２００を操作する場合、４本指で筐体２０１を支えながら親指で押しボタン２０２が操作される。あるいは、筐体２０１をベッド等に置いた状態で、何れかの指で押しボタン２０２が操作される。
【０００５】
なお、握り押しボタン式子機１００を握ったり、親指で押しボタン１０２を押したりすることができない患者のために、手のひらや手の甲などで押下することにより握り押しボタン式子機１００を操作可能にするアタッチメントが提案されている（例えば、特許文献１参照）。握り押しボタン式子機１００にこのアタッチメントが装着されていれば、患者は、アタッチメントの操作部を手のひらや拳で叩いたり押したりすることで、握り押しボタン式子機１００を手のひらで握って押しボタン１０２を親指で押すのと同じように操作することが可能となる。
【先行技術文献】
【特許文献】
【０００６】
【特許文献１】特開２００８−１１９２００号公報
【発明の概要】
【発明が解決しようとする課題】
【０００７】
しかしながら、上記特許文献１に記載のアタッチメントは、無線押しボタン式子機２００には装着することができない。無線押しボタン式子機２００では、患者の意図しない何気ない誤操作を防止するために、円盤状の筐体２０１の上面側の中央における周囲よりも窪んだ部分に押しボタン２０２が設けられているため、これを手のひらや手の甲などで押下することができない。そのため、指を自由に動かすことができない患者は、押しボタン２０２を押下することができないという問題があった。
【０００８】
本発明は、このような問題を解決するために成されたものであり、指を自由に動かすことができない患者であっても、無線押しボタン式子機の押しボタンを手のひらや手の甲などで押下することができるようにすることを目的とする。
【課題を解決するための手段】
【０００９】
上記した課題を解決するために、本発明では、ハウジングの内面に、円盤形状の無線押しボタン式子機の筐体を支持する支持部を設ける一方、ハウジングの上面に、ハウジングの前方側にある操作面とは反対側である後方側の端部を支点として上下方向に回動可能に成された操作部を設け、さらに、操作部の後方側の端部の付近の内面に、操作部が下方に回動された状態である場合に無線押しボタン式子機の円盤状の筐体の上面側に設けられた押しボタンを押圧する突起部を備えるようにしている。操作部は、少なくとも操作面が周囲よりも上方に突出する状態でハウジングの上面に設けるようにする。ハウジングは、スペース内に収納される無線押しボタン式子機の底面は覆わずに側面から上面にかけた部分を覆うように形成される。また、支持部は、ハウジングの内面の左右方向および後方向の合計３方向にリブを備えることにより、突起部と対向する位置に無線押しボタン式子機を収納するためのスペースを形成し、リブが備えられていないハウジングの前方側から後方側に向かって、３方向のリブで囲まれたスペース内に無線押しボタン式子機をスライドさせて挿入可能に構成するとともに、当該スペース内に収納される無線押しボタン式子機の筐体の側面および底面を支持するように構成している。
【発明の効果】
【００１０】
上記のように構成した本発明によれば、操作部の操作面に力を加えると、当該操作面とは反対側の端部を支点として操作部が下方に回動した状態となり、回動した操作部の内面に設けられている突起部によって、無線押しボタン式子機の窪んだ部分に設けられている押しボタンが押下されることとなる。操作面は、周囲のハウジングよりも突出した状態で設けられているので、患者は、操作面を手のひらや手の甲などで押下することが可能である。これにより、患者は、操作面を手のひらや手の甲などで押下するだけで、無線押しボタン式子機の押しボタンを指で押すのと同じように操作することができる。また、操作部の操作面（力点）と端部（支点）との間の内面に突起部（作用点）が設けられているので、第２種てこの原理により、無線押しボタン式子機の押しボタンを直接押すのに必要な力よりも小さい力で押しボタンを操作することができる。
【図面の簡単な説明】
【００１１】
【図１】本実施形態による押しボタン用アタッチメントの構成例を示す斜視図である。
【図２】本実施形態による押しボタン用アタッチメントの構成例を示す上面図である。
【図３】本実施形態による押しボタン用アタッチメントの構成例を示す底面図である。
【図４】本実施形態の押しボタン用アタッチメントを無線押しボタン式子機に装着した状態を示す断面図である。
【図５】無線押しボタン式子機が支持された状態を示す図である。
【図６】従来の押しボタン式子機の構成例を示す図である。
【発明を実施するための形態】
【００１２】
以下、本発明の一実施形態を図面に基づいて説明する。図１〜図３は、本実施形態による押しボタン用アタッチメント１０の構成例を示す図であり、図１は上面側方側から見た斜視図、図２は上面図、図３は底面図を示している。また、図４は、本実施形態の押しボタン用アタッチメント１０を図６（ｂ）に示す無線押しボタン式子機２００に装着した状態を示すＡ−Ａ断面図である。図５は、無線押しボタン式子機２００が支持された状態を示す図である。なお、図４は断面の概略を示し、図示を一部省略してある。
【００１３】
本実施形態の押しボタン用アタッチメント１０は、無線押しボタン式子機２００に装着されて、当該無線押しボタン式子機２００の押しボタン２０２の操作を介助するものである。
【００１４】
図１および図２に示すように、本実施形態の押しボタン用アタッチメント１０は、ハウジング１１の上面に操作部１２を有している。操作部１２は、円形の操作面１２ａと、この操作面１２ａから水平方向に延伸するように形成された可動部１２ｂとから構成されている。ハウジング１１と操作部１２は、弾力性を有する樹脂により一体的に構成されている。
【００１５】
操作部１２の少なくとも操作面１２ａは、周囲のハウジング１１よりも上面側に突出する状態で設けられている。また、操作部１２は、操作面１２ａとは反対側の端部（可動部１２ｂの根本部分）を支点として、上下方向に回動可能に構成されている。これにより患者は、操作面１２ａを手のひらや手の甲などで押下することが可能となっている。
【００１６】
具体的には、ハウジング１１と操作部１２との間には、操作部１２の形状に沿って、回動の支点となる可動部１２ｂの根本以外の部分に空隙１３が形成されている。これにより、可動部１２ｂの根元部分を支点として、操作部１２をハウジング１１に対して底面側（下方）に折り曲げ可能となっている。すなわち、操作面１２ａに対して下方への力を加えると、操作部１２は、可動部１２ｂの根本部分を支点として下方に回動する。そして、操作面１２ａに力が加わらなくなると、操作部１２は、可動部１２ｂの根本部分を支点として上方に回動し、元の状態に戻る。
【００１７】
なお、本実施形態では、図３および図４に示すように、操作部１２の下方への回動を制限するストッパ１５を備えている。すなわち、ハウジング１１の前方側（操作部１２の操作面１２ａがある方向）の内面にストッパ１５が立設されており、操作面１２ａが下方にある程度回動したときに、当該操作面１２ａの底部がストッパ１５に当たって、それよりも下方へは操作面１２ａが回動しないようになっている。これにより、必要以上に操作面１２ａが下方に押し込まれないようにすることができる。
【００１８】
図３に示すように、本実施形態の押しボタン用アタッチメント１０は、ハウジング１１の内面に、無線押しボタン式子機２００の筐体２０１を支持する支持部１４（１４ａ，１４ｂ，１４ｃ）を備えている。支持部１４は、無線押しボタン式子機２００の筐体２０１の少なくとも外周面の一部を覆うことにより、当該筐体２０１を支持する。これにより、無線押しボタン式子機２００の側面から上面にかけた部分をハウジング１１が覆うことになる。
【００１９】
具体的には、支持部１４は、無線押しボタン式子機２００の筐体２０１の側面および底面を支持するリブ１４ａ，１４ｂ，１４ｃを複数方向に備えている。本実施形態では、図３に示すように、ハウジング１１の内面の左右方向および後方向（操作部１２の可動部１２ｂがある方向）の合計３方向に、ハウジング１１の内面からリブ１４ａ，１４ｂ，１４ｃを立設している。一方、ハウジング１１の内面の前方向（操作部１２の操作面１２ａがある方向）には、リブを設けていない。また、図５に示すように、複数のリブ１４ａ，１４ｂ，１４ｃは、底面側がかぎ状に形成されている。
【００２０】
これにより、リブ１４ａ，１４ｂ，１４ｃが備えられていない方向（ハウジング１１の前方向。図３の場合は図面左方向、図５の場合は図面手前方向）から、操作部１２の回動方向と直交する方向（ハウジング１１の後方向。図３の場合は図面右方向、図５の場合は図面奥方向）に沿って、複数方向のリブ１４ａ，１４ｂ，１４ｃで囲まれたスペース内に無線押しボタン式子機２００をスライドさせて挿入可能に構成されている。そして、スペース内に挿入された無線押しボタン式子機２００は、複数のリブ１４ａ，１４ｂ，１４ｃにより、押しボタン用アタッチメント１０から容易に脱落しないようになっている。
【００２１】
なお、図３の例では、左右方向および後方向のそれぞれの方向に４個ずつのリブを設けている。そして、各リブ１４ａ，１４ｂ，１４ｃの側壁面が、円盤形状をした無線押しボタン式子機２００の筐体２０１の側面に沿うように、当該円盤形状の直径よりやや大きい直径の円周上に並ぶように設けられている。なお、ここに示したリブ１４ａ，１４ｂ，１４ｃの数は一例であり、これに限定されるものではない。
【００２２】
操作部１２の可動部１２ｂがある位置の内面（操作面１２ａと、回動の支点となる可動部１２ｂの端部との間の内面）には、突起部１６が設けられている。この突起部１６は、操作部１２が下方に回動された状態である場合に、リブ１４ａ，１４ｂ，１４ｃのスペース内に収納された無線押しボタン式子機２００の押しボタン２０２を下方に押圧する。上述のように、無線押しボタン式子機２００の押しボタン２０２は、筐体２０１の上面側の中央における窪んだ部分に設けられているが、突起部１６がこの押しボタン２０２に当接して押下することができるようになされている。
【００２３】
以上のように、本実施形態では、ハウジング１１の内面に、無線押しボタン式子機２００の筐体２０１を支持する支持部１４を設ける一方、ハウジング１１の上面に、操作面１２ａとは反対側の可動部１２ｂの端部を支点として上下方向に回動可能に成された操作部１２を設け、さらに、操作部１２の内面に、操作部１２が下方に回動された状態である場合に無線押しボタン式子機２００の押しボタン２０２を押圧する突起部１６を備えるようにしている。
【００２４】
このように構成した本実施形態の押しボタン用アタッチメント１０によれば、操作部１２の操作面１２ａに力を加えると、当該操作面１２ａとは反対側の可動部１２ｂの端部を支点として操作部１２が下方に回動した状態となり、回動した操作部１２の内面に設けられている突起部１６により、無線押しボタン式子機２００の窪んだ部分に設けられている押しボタン２０２が押下されることとなる。
【００２５】
ここで、操作面１２ａは、周囲のハウジング１１よりも上面側に突出した状態で設けられているので、患者は、操作面１２ａを手のひらや手の甲などで押下することが可能である。これにより、患者は、操作面１２ａを手のひらや手の甲などで押下するだけで、無線押しボタン式子機２００の押しボタン２０２を指で押すのと同じように操作することができる。
【００２６】
また、操作部１２の操作面１２ａ（力点）と可動部１２ｂの端部（支点）との間の内面に突起部１６（作用点）が設けられているので、第２種てこの原理により、無線押しボタン式子機２００の押しボタン２０２を直接押すのに必要な力よりも小さい力で押しボタン２０２を操作することができる。特に、本実施形態では、可動部１２ｂの根本付近に突起部１６が設けられているので、より小さい力で押しボタン２０２を操作することが可能である。
【００２７】
また、本実施形態では、ハウジング１１の内面の３方向にリブ１４ａ，１４ｂ，１４ｃを設け、リブ１４ａ，１４ｂ，１４ｃが備えられていない方向から、操作部１２の回動方向と直交する方向に沿って、複数方向のリブ１４ａ，１４ｂ，１４ｃで囲まれたスペース内に無線押しボタン式子機２００をスライドさせて挿入可能に構成している。そのため、単に無線押しボタン式子機２００をスライドさせて挿入するだけの操作で、無線押しボタン式子機２００に押しボタン用アタッチメント１０を簡単に装着することができる。しかも、装着後に操作部１２を介して無線押しボタン式子機２００の押しボタン２０２に力を加えても、無線押しボタン式子機２００が押しボタン用アタッチメント１０から脱落しないようにすることができる。
【００２８】
なお、上記実施形態では、操作面１２ａを円形とする例について説明したが、この形状には限定されない。すなわち、操作面１２ａが周囲のハウジング１１よりも上面側に突出する状態で設けられていればよく、その形状は任意に設計することが可能である。
【００２９】
また、上記実施形態では、支持部１４を複数方向のリブ１４ａ，１４ｂ，１４ｃにより形成する例について説明したが、本発明はこれに限定されない。すなわち、操作部１２が下方に回動されたときに、可動部１２ｂの内面に設けた突起部１６が無線押しボタン式子機２００の押しボタン２０２を下方に押圧する状態に無線押しボタン式子機２００を支持するようにすればよく、支持部１４の形状は上記実施形態のものに限定されない。
【００３０】
また、上記実施形態では、可動部１２ｂの内面に突起部１６を設け、可動部１２ｂと対向する位置に無線押しボタン式子機２００が収納されるように、支持部１４をハウジング１１の後寄りに設ける例について説明したが、本発明はこれに限定されない。例えば、操作面１２ａの内面に突起部１６を設け、操作面１２ａと対向する位置に無線押しボタン式子機２００が収納されるように、支持部１４をハウジング１１の前寄りに設けるようにしてもよい。この場合、ストッパ１５は不要である。
【００３１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１０  押しボタン用アタッチメント
１１  ハウジング
１２  操作部
１２ａ  操作面
１２ｂ  可動部
１３  空隙
１４  支持部
１４ａ，１４ｂ，１４ｃ  リブ
１５  ストッパ
１６  突起部
【図１】
0006696779.tif 000002
【図２】
0006696779.tif 000003
【図３】
0006696779.tif 000004
【図４】
0006696779.tif 000005
【図５】
0006696779.tif 000006
【図６】
0006696779.tif 000007